(57)【特許請求の範囲】
【請求項１】
一方の面が面内の一方向に山部と谷部が交互に連続する凹凸面で形成され、他方の面が略平坦な面で形成された平板状のプリズムシートを略垂直に向け、前記凹凸面を入射方向に向けて配置し、一方の面から入射した光を屈折透過させ他方の面から入射方向と異なる方向に向きを変えて出光可能になされた採光装置であって、
前記山部は水平面に対して略垂直方向に連続する向きに配向されており、
前記山部は、頂角が略直角で底角の一方が２０度〜５０度の範囲内の三角形状になされており、
前記採光装置は、建物本体の屋外に設けた水平面に対して略垂直な垂直面を有する外構に組み込まれていることを特徴とする採光装置。
【請求項２】
請求項１記載の採光装置が建物本体の屋外側に設けられた建物であって、
前記建物本体の南面側または北面側に開口部が設けられ、前記採光装置はこの開口部に向かって東側または西側の開口部前方に立設され、東側に立設したときは凹凸面が略東側に向けられ、西側に立設したときは凹凸面が略西側に向けられていることを特徴とする建物。
【請求項３】
一方の面が面内の一方向に山部と谷部が交互に連続する凹凸面で形成され、他方の面が略平坦な面で形成された平板状のプリズムシートを略垂直に向け、前記平坦な他方の面を入射方向に向けて配置し、他方の面から入射した光を一方の面にて反射させ再び他方の面から向きを変えて出光可能になされた採光装置であって、
前記山部は水平面に対して略垂直方向に連続する向きに配向されており、
前記山部は、頂角が略直角で底角の一方が２０度〜５０度の範囲内の三角形状になされており、
前記採光装置は、建物本体の屋外に設けた水平面に対して略垂直な垂直面を有する外構に組み込まれていることを特徴とする採光装置。
【請求項４】
請求項３記載の採光装置が建物本体の屋外側に設けられた建物であって、
前記建物本体の西面側または東面側に開口部が設けられ、前記採光装置がこの開口部と対向し適宜の距離を隔てた建物の西面側または東面側に立設され、西面側に立設したときは平坦な他方の面が略東側に向けられ、東面側に立設したときは平坦な他方の面が略西側に向けられていることを特徴とする建物。
【発明の詳細な説明】
【０００１】
【発明の属する技術分野】
本発明は、採光装置と、これを設けた建物に関する。
【０００２】
【従来の技術】
従来の採光装置としては、例えば、光を透過・散乱させる透明あるいは半透明の板材と、プリズムシート（リニアー型フレネンルレンズ）からなる採光レンズ系複層面材が知られている（例えば、特許文献１参照。）。
上記リニアー型フレネルレンズは、フレネル面を入射側に向けて採光し、フレネル面のフレネル溝を水平方向に配向し、この採光装置をベランダ用目隠し材として使用して採光したり、建物の採光用開口部に組み込み、部屋の奥まで採光できるようにした。
【０００３】
【特許文献１】
特開平０９−５４２７４号公報
【０００４】
【発明が解決しようとする課題】
しかしながら、フレネル溝を水平方向に配向した場合、高度の高い南日を部屋の奥まで採光するのに適しているが、例えば、高度の低い東日を南面側の開口部から採光したり、東日を西面側の開口部から採光したりするには不向きであり、このような採光をするのに適した採光装置は今まで知られていなかった。
【０００５】
そこで、本発明の目的は、上記の問題点を解消し、東日または西日を南面側あるいは北面側の開口部から採り入れできたり、東日または西日を反対側の開口部から採り入れたりできる採光装置と、この採光装置を設けた建物を提供することを目的とする。
【０００６】
【課題を解決するための手段】
請求項１記載の発明は、一方の面が面内の一方向に山部と谷部が交互に連続する凹凸面で形成され、他方の面が略平坦な面で形成された平板状のプリズムシートを略垂直に向け、前記凹凸面を入射方向に向けて配置し、一方の面から入射した光を屈折透過させ他方の面から入射方向と異なる方向に向きを変えて出光可能になされた採光装置であって、前記山部は水平面に対して略垂直方向に連続する向きに配向されており、前記山部は、頂角が略直角で底角の一方が２０度〜５０度の範囲内の三角形状になされており、前記採光装置は、建物本体の屋外に設けた水平面に対して略垂直な垂直面を有する外構に組み込まれていることを特徴とする。
上記採光装置は、外構としての塀に組み込んだ採光装置付きの塀として用いるとよい。
【０００８】
請求項２記載の発明は、請求項１記載の採光装置が建物本体の屋外側に設けられた建物であって、
前記建物本体の南面側または北面側に開口部が設けられ、前記採光装置はこの開口部に向かって東側または西側の開口部前方に立設され、東側に立設したときは凹凸面が略東側に向けられ、西側に立設したときは凹凸面が略西側に向けられていることを特徴とする。
【０００９】
請求項３記載の発明は、一方の面が面内の一方向に山部と谷部が交互に連続する凹凸面で形成され、他方の面が略平坦な面で形成された平板状のプリズムシートを略垂直に向け、前記平坦な他方の面を入射方向に向けて配置し、他方の面から入射した光を一方の面にて反射させ再び他方の面から向きを変えて出光可能になされた採光装置であって、前記山部は水平面に対して略垂直方向に連続する向きに配向されており、前記山部は、頂角が略直角で底角の一方が２０度〜５０度の範囲内の三角形状になされており、前記採光装置は、建物本体の屋外に設けた水平面に対して略垂直な垂直面を有する外構に組み込まれていることを特徴とする。
上記採光装置は、外構としての塀に組み込んだ採光装置付きの塀として用いるとよい。
【００１１】
請求項４記載の発明は、請求項３記載の採光装置が建物本体の屋外側に設けられた建物であって、
前記建物本体の西面側または東面側に開口部が設けられ、前記採光装置がこの開口部と対向し適宜の距離を隔てた建物の西面側または東面側に立設され、西面側に立設したときは平坦な他方の面が略東側に向けられ、東面側に立設したときは平坦な他方の面が略西側に向けられていることを特徴とする。
【００１４】
（作用）
このように構成された請求項１記載の採光装置によると、前記山部は水平面に対して略垂直方向に連続する向きに配向されているので、入射光を一方の面から屈折透過させ他方の面から入射方向と異なる方向、すなわち他方の面方向に近づく方向に向きを変えて出光できる。このため、一方の面を東日または西日の方向に向けると、高度の低い東日または西日を北向きあるいは南向きに向きを変えて出光できる。
【００１５】
また、前記山部は、頂角が略直角で底角の一方が２０度〜５０度の範囲内の三角形状になされているので、太陽光の広方位角に対して高い屈折効果があり、高度の低い東日または西日を北向きあるいは南向きに向きを変えて効率よく出光できる。
さらに、前記採光装置は、建物本体の屋外に設けた水平面に対して略垂直な垂直面を有する外構に組み込まれているので、採光装置を設置するために特別な設置装置が不要となる。
【００１６】
請求項２記載の建物によると、前記採光装置が建物本体の開口部に向かって東側または西側の開口部前方に立設されている。東側に立設したときは凹凸面が略東側に向けられ、西側に立設したときは凹凸面が略西側に向けられているので、高度の低い東日または西日を屈折透過させ、南面側あるいは北面側の開口部から室内の奥まで採光できる。
【００１７】
請求項３記載の採光装置によると、前記山部は水平面に対して略垂直方向に連続する向きに配向されているので、入射光を一方の凹凸面にて反射させ再び他方の面から向きを変えて出光できる。このため、他方の面を東日または西日の方向に向けると、東日または西日を反射させて反対側の西側または東側から出光できる。
【００１８】
また、前記山部は、頂角が略直角で底角の一方が２０度〜５０度の範囲内の三角形状になされているので、太陽光の広方位角に対して高い比率で全反射でき、高度の低い東日または西日を西面側あるいは東面側に向きを変えて効率よく出光できる。
さらに、前記採光装置は、建物本体の屋外に設けた水平面に対して略垂直な垂直面を有する外構に組み込まれているので、採光装置を設置するために特別な設置装置が不要となる。
【００１９】
請求項４記載の建物では、前記採光装置が建物本体の開口部と対向し適宜の距離を隔てた建物の西面側または東面側に立設されている。西面側に立設したときは平坦な他方の面が略東側に向けられ、東面側に立設したときは平坦な他方の面が略西側に向けられているので、高度の低い東日または西日を屈折反射させ、反対側の西面側あるいは東面側の開口部から室内の奥まで採光できる。
【００２２】
【発明の実施の形態】
以下、本発明の実施の形態について図面を参照しながら詳細に説明する。
（実施の形態１）
図１と図２は本発明の一実施の形態であって、図１（イ）は採光装置の斜視図、（ロ）は図１（イ）のＡ−Ａ線における断面図、（ハ）は山部の形状を説明する断面図である。図２（イ）は建物の斜視図であり、（ロ）は建物の平面図である。
【００２３】
（採光装置）
本実施の形態１の採光装置１は、図１に示すように、矩形状のプリズムシート２と、このプリズムシート２の各縁辺に設ける縦枠３，３と横枠４，４とから構成されている。防火地域や準防火地域では、ガラス板との２層構成にしたものが好ましい。
【００２４】
プリズムシート２は、透明もしくは半透明のポリカーボネートあるいはアクリル樹脂で形成された平板状のものであって、一方の面が面内の一方向に山部２３と谷部２４が交互に連続する凹凸面２１で形成され、他方の面が平坦面２２で形成されている。
採光装置１は、上記プリズムシート２を略垂直に向け、前記凹凸面２１を光の入射方向に向けて配置し、一方の面（凹凸面２１）から入射した光を屈折透過させ他方の面（平坦面２２）から入射方向と異なる方向に向きを変えて出光可能になすものであって、前記山部２３は水平面に対して略垂直方向に連続する向きに配向されている。
【００２５】
前記山部２３は、図１（ハ）に示すように、頂角Ｌが略直角であり、一方の底角Ｍが３０度、他方の底角が６０度の直角三角形状になされ、一方の底角Ｍ（３０度）が紙面上の下側に向けられている。
【００２６】
（建物）
本実施の形態１の建物は、図２に示すように、上記採光装置１を同一面内に複数枚並列させて建物本体１０の屋外側に設けたものであって、この採光装置１は、建物本体１０の屋外に設けた塀２０に組み込まれている。
採光装置１を含む塀２０の高さは、建物本体１０の１階高さ以上であればよい。また、塀２０は、上半分を採光装置１で構成している。
【００２７】
建物本体１０の南面側に開口部１１が設けられ、前記採光装置１はこの開口部１１に向かって東側の開口部前方に立設され、図１（ロ）、（ハ）に示すように、採光装置１のプリズムシート２は、凹凸面２１を東側に向けて配置されている。
【００２８】
図１（ロ）、（ハ）において、矢印Ｘは太陽の入射光を示し、ｘ1 は太陽光の方位角を示している。また、矢印Ｙは出光を示し、ｙ1 は出光角を示している。方位角は、北を０度、東を９０度、南を１８０度、西を２７０度としている。
【００２９】
上記の図１において、入射光Ｘは、方位角ｘ1 ＝１２０度で入射する場合を示しており、これは冬季における南寄りの高度の低い東日を示している。
この際、プリズムシート２の山部２３は、前記したように、一方の底角Ｍが３０度、他方の底角が６０度の直角三角形状になされ、一方の底角Ｍ（３０度）が紙面上の下側に向けられているので、方位角ｘ1 ＝１２０度で入射した場合、入射光Ｘは山部２３の一方の斜辺と直交し、他方の斜辺と平行する方向に入射し、プリズムシート２の平坦面２２から出光角ｙ1 ＝３７．６度で出光する。
【００３０】
（本実施の形態１の作用）
このように構成された本実施の形態１の採光装置１によると、前記山部２３は略垂直方向に連続する向きに配向されているので、入射光Ｘを一方の面（凹凸面２１）から屈折透過させ他方の面（平坦面２２）から入射方向と異なる方向、すなわち平坦面２２に近づく方向に向きを変えて出光できる。このため、凹凸面２１を東日の方向に向けると、高度の低い東日を北向きに向きを変えて出光できる。
【００３１】
さらに、前記山部２３は、頂角Ｌが直角で一方の底角Ｍが３０度の直角三角形状になされているので、太陽方位角９０度（春季、秋季）〜１３０度（冬季）の東日に対して屈折効果があり、高度の低いこれら東日を北向きに向きを変えて効率よく出光できる。
【００３２】
上記採光装置１を設けた本実施の形態１の建物によると、前記採光装置１が建物本体１０の南面側開口部１１に向かって東側の開口部前方に立設されているので、高度の低い東日を屈折透過させ、南面側開口部１１から室内の奥まで採光できる。
【００３３】
さらに、前記採光装置１は、建物本体１０の屋外に設けた塀２０に組み込まれているので、特別な設置装置が不要となる。
【００３４】
（実施の形態２）
図３は、本発明の実施の形態２であって、（イ）は建物の平面図、（ロ）はプリズムシートの横断面図である。
以下の実施の形態において、前記実施の形態１と本質的に同じものには同符号を付けて説明を省略し、異なるものだけ別符号を付けて説明する。
尚、建物本体１０は、前記実施の形態１と共通であってもよく、共通であれば、朝も夕も採光がよくなりよい。
【００３５】
本実施の形態２において、採光装置１は前記実施の形態のものと同じであるが、これを建物に設ける場合、上下反転させて設けるようにしたものである。
【００３６】
本実施の形態２の建物は、図３（イ）に示すように、前記採光装置１を同一面内に複数枚並列させて建物本体１０の屋外側に設けたものであって、この採光装置１は、建物本体１０の屋外に設けた塀２０に組み込まれている。
【００３７】
採光装置１は南面開口部１１に向かって西側の開口部前方に立設され、図３（ロ）に示すように、採光装置１のプリズムシート２は、凹凸面２１を西側に向けて配置されている。
【００３８】
上記の図３（ロ）において、入射光Ｘは、方位角ｘ1 ＝２４０度で入射する場合を示しており、これは冬季における南寄りの高度の低い西日を示している。
この際、プリズムシート２の山部２３は、一方の底角Ｍが３０度の直角三角形状になされ、一方の底角Ｍ（３０度）が紙面上の下側に向けられているので、方位角ｘ1 ＝２４０度で入射した場合、入射光Ｘは山部２３の一方の斜辺と直交し、他方の斜辺と平行する方向に入射し、プリズムシート２の平坦面２２から出光角ｙ1 ＝３７．６度で出光する。
【００３９】
（本実施の形態２の作用）
上記採光装置１を設けた本実施の形態２の建物によると、前記採光装置１が建物本体１０の南面側開口部１１に向かって西側の開口部前方に立設されているので、高度の低い西日を屈折透過させ、南面側開口部１１から室内の奥まで採光できる。
【００４０】
（実施の形態３）
図４は、本発明の実施の形態３であって、（イ）は建物の平面図、（ロ）はプリズムシートの横断面図である。
本実施の形態３において、採光装置１は前記実施の形態１のものと本質的に同じであるが、プリズムシート１の山部２３の形状が図１（ロ）のものと逆形状になされたものを使用する。すなわち、プリズムシート２の山部２３は、一方の底角Ｍが３０度の直角三角形状になされ、一方の底角Ｍ（３０度）が紙面上の上側に向けられている。
【００４１】
本実施の形態３の建物は、図４（イ）に示すように、上記採光装置１を同一面内に複数枚並列させて建物本体１０の屋外側に設けたものであって、この採光装置１は、建物本体１０の屋外に設けた塀２０に組み込まれている。
建物本体１０は、実施の形態１，２と共通であってもよい。
【００４２】
採光装置１は北面開口部１１に向かって東側の開口部前方に立設され、図４（ロ）に示すように、採光装置１のプリズムシート２は、凹凸面２１を東側に向けて配置されている。
【００４３】
上記の図４（ロ）において、入射光Ｘは、方位角ｘ1 ＝６０度で入射する場合を示しており、これは夏季における北寄りの高度の低い東日を示している。
この際、プリズムシート２の山部２３は、一方の底角Ｍが３０度の直角三角形状になされ、一方の底角Ｍ（３０度）が紙面上の上側に向けられているので、方位角ｘ1 ＝６０度で入射した場合、入射光Ｘは山部２３の一方の斜辺と直交し、他方の斜辺と平行する方向に入射し、プリズムシート２の平坦面２２から出光角ｙ1 ＝３７．６度で出光する。
【００４４】
（本実施の形態３の作用）
上記採光装置１を設けた本実施の形態の建物によると、前記採光装置１が建物本体１０の北面側開口部１１に向かって東側の開口部前方に立設されているので、高度の低い東日を屈折透過させ、北面側開口部１１から室内の奥まで採光できる。
【００４５】
（実施の形態４）
図５は、本発明の実施の形態４であって、（イ）は建物の平面図、（ロ）はプリズムシートの横断面図である。
本実施の形態４において、採光装置１は前記実施の形態のものと本質的に同じであるが、プリズムシート１は、図１（ロ）のものを左右反転したものを使用する。すなわち、プリズムシート２の山部２３は、一方の底角Ｍが３０度の直角三角形状になされ、一方の底角Ｍ（３０度）が紙面上の上側に向けられている
【００４６】
本実施の形態４の建物は、図５（イ）に示すように、上記採光装置１を同一面内に複数枚並列させて建物本体１０の屋外側に設けたものであって、この採光装置１は、建物本体１０の屋外に設けた塀２０に組み込まれている。
建物本体１０は、実施の形態１，２，３と共通であってもよく、共通だと朝もよい。
【００４７】
採光装置１は北面開口部１１に向かって西側の開口部前方に立設され、図５（ロ）に示すように、採光装置１のプリズムシート２は、凹凸面２１を西側に向けて配置されている。
【００４８】
上記の図４（ロ）において、入射光Ｘは、方位角ｘ1 ＝３００度で入射する場合を示しており、これは夏季における北寄りの高度の低い西日を示している。
この際、プリズムシート２の山部２３は、一方の底角Ｍが３０度の直角三角形状になされ、一方の底角Ｍ（３０度）が紙面上の上側に向けられているので、方位角ｘ1 ＝３００度で入射した場合、入射光Ｘは山部２３の一方の斜辺と直交し、他方の斜辺と平行する方向に入射し、プリズムシート２の平坦面２２から出光角ｙ1 ＝３７．６度で出光する。
【００４９】
（本実施の形態４の作用）
上記採光装置１を設けた本実施の形態４の建物によると、前記採光装置１が建物本体１０の北面側開口部１１に向かって西側の開口部前方に立設されているので、高度の低い西日を屈折透過させ、北面側開口部１１から室内の奥まで採光できる。
【００５０】
（実施の形態５）
図６と図７は、本発明の実施の形態５であって、図６（イ）は採光装置を分解して示す斜視図、（ロ）は図６（イ）のＡ−Ａ線におけるプリズムシートの断面図であり、図７（イ）は建物の斜視図、（ロ）は建物の平面図である。
【００５１】
（採光装置）
本実施の形態５の採光装置１Ａは、図６（イ）に示すように、矩形状のプリズムシート２と、このプリズムシート２の各縁辺に設ける縦枠３，３と横枠４，４とから構成されている。防火地域や準防火地域では、ガラス板との２層構成にしたものが好ましい。
【００５２】
プリズムシート２は、透明もしくは半透明のポリカーボネートあるいはアクリル樹脂で形成された平板状のものであって、一方の面が面内の一方向に山部２３と谷部２４が交互に連続する凹凸面２１で形成され、他方の面が平坦面２２で形成されている。
【００５３】
採光装置１Ａは、上記平板状のプリズムシート２を略垂直に向け、前記平坦面２２を入射方向に向けて配置し、平坦面２２から入射した光を凹凸面２１にて反射させ再び他方の面から向きを変えて出光可能になされたものである。
プリズムシート２の山部２３は水平面に対して垂直方向に連続する向きに配向されている。
【００５４】
前記山部２３は、頂角Ｌが略直角で一方の底角Ｍが３０の直角三角形状になされ、一方の底角Ｍを紙面の上で下側に向けて配置している。
【００５５】
（建物）
本実施の形態５の建物は、図７に示すように、上記採光装置１Ａが建物本体１０の屋外側に設けられたものであって、建物本体１０の西面側に開口部１１が設けられた２階建ての建物である。
上記採光装置１Ａはこの開口部１１と対向し適宜の距離を隔てた建物本体１０の西面側に立設され、図６（ロ）に示すように、プリズムシート２の平坦面２２が略東側に向けられている。
建物本体１０は、実施の形態１〜４と共通であってもよい。
【００５６】
なお、前記採光装置１Ａは、建物本体１０の屋外に設けた塀２０に組み込まれている。採光装置１Ａを含む塀２０の高さは、２階建ての場合、１．５階以上の高さに、建物本体１０の壁面と塀２０との距離は３ｍ以上とするのがよい。
【００５７】
入射光Ｘａ，Ｘｂ，Ｘｃは、いずれも、方位角１２０度で入射する冬季の東日を示している。
一部の入射光Ｘａは、平坦面２２から入射し、凹凸面２１にて反射し、再び入射光Ｘａと平行な出光Ｙａととして出光される。他の入射光Ｘｂは山部２３の頂部から凹凸面２１側へ出光されたり（出光Ｙｂ）、他の入射光Ｘｃは谷底部にて反射され出光Ｙｃの方向に出光される。
【００５８】
（実施の形態５の作用）
本実施の形態５の採光装置１Ａによると、前記山部２３が垂直方向に連続する向きに配向されているので、入射光Ｘａを一方の凹凸面２１にて反射させ再び他方の平坦面２２から向きを変えて出光できる。このため、他方の平坦面２２を東日の方向に向けると、東日を反射させて反対側の西側から出光できる。
【００５９】
さらに、前記山部２３は、頂角Ｌが直角で一方の底角Ｍが３０度の直角三角形状になされているので、太陽方位角１０４度〜１２５度に対して効率の高い（５０％以上）比率で全反射が実現でき、高度の低い冬季の東日を向きを変えて出光できる。
【００６０】
本実施の形態５の建物では、前記採光装置１Ａが建物本体１０の開口部１１と対向し適宜の距離を隔てた建物本体１０の西面側に立設され、プリズムシート２の平坦面２２が東側に向けられているので、高度の低い東日を屈折反射させ、反対側の西面側開口部１１から室内の奥まで採光できる。
【００６１】
（実施の形態６）
図８は、本発明の実施の形態６であって、（イ）は建物の平面図であり、（ロ）はプリズムシートの横断面図である。
【００６２】
本実施の形態６において、採光装置１Ａは、前記実施の形態の図６に示したものと本質的に同じであるが、プリズムシート１は、図６（ロ）のものを上下反転したものを使用する。すなわち、プリズムシート２の山部２３は、一方の底角Ｍが３０度の直角三角形状になされ、一方の底角Ｍ（３０度）が紙面上の下側に向けられている。
【００６３】
本実施の形態６の建物は、図８に示すように、上記採光装置１Ａが建物本体１０の屋外側に設けられたものであって、建物本体１０の東面側に開口部１１が設けられた２階建ての建物である。
建物本体１０は、実施の形態１〜５と共通であってもよい。
上記採光装置１Ａはこの開口部１１と対向し適宜の距離を隔てた建物本体１０の東面側に立設され、図８（ロ）に示すように、プリズムシート２の平坦面２２が略西側に向けられている。
【００６４】
入射光Ｘａは、方位角２４０度で入射する冬季の西日を示している。
一部の入射光Ｘａは、平坦面２２から入射し、凹凸面２１にて反射し、再び入射光Ｘａと平行な出光Ｙａとして出光される。
【００６５】
（実施の形態６の作用）
本実施の形態６の建物では、前記採光装置１Ａが建物本体１０の東側開口部１１と対向し適宜の距離を隔てた建物本体１０の東面側に立設され、プリズムシート２の平坦面２２が西側に向けられているので、高度の低い西日を屈折反射させ、反対側の東面側開口部１１から室内の奥まで採光できる。
【００８０】
以上、本発明の実施の形態を図面に基づいて説明したが、本発明は、この実施の形態に限られるものではなく、本発明の要旨を変更しない範囲の設計変更があっても本発明に含まれる。
【００８１】
【発明の効果】
このように構成された請求項１記載の採光装置によると、入射光を面内方向に向きを変えて出光できる。
【００８２】
また、入射光を面内方向に効率よく向きを変えて出光できる。
さらに、前記採光装置は、建物本体の屋外に設けた外構に組み込まれているので、特別な設置装置が不要となる。
また、組み込まれた採光装置は、視線を遮蔽する機能も併せ持つ。
【００８３】
請求項２記載の建物によると、高度の低い東日または西日を屈折透過させ、南面側あるいは北面側の開口部から室内の奥まで採光できる。
また、屈折透過の少ない時間帯でも散乱光を室内に取り込むことができる。
【００８４】
請求項３記載の採光装置によると、プリズムシートの屈折・全反射特性を利用して入射光の向きを変えて出光できる。
【００８５】
また、入射光の向きを変えて効率よく出光できる。
さらに、前記採光装置は、建物本体の屋外に設けた外構に組み込まれているので、特別な設置装置が不要となる。
また、組み込まれた採光装置は、視線を遮蔽する機能も併せ持つ。
【００８６】
請求項４記載の建物では、高度の低い東日または西日を屈折反射させ、反対側の西面側あるいは東面側の開口部から室内の奥まで採光できる。
また、屈折透過の少ない時間帯でも散乱光を室内に取り込むことができる。
【図面の簡単な説明】
【図１】本発明の実施の形態１であって、（イ）は採光装置の斜視図、（ロ）は図１（イ）のＡ−Ａ線における断面図、（ハ）は山部の形状を説明する断面図である。
【図２】（イ）は建物の斜視図であり、（ロ）は建物の平面図である。
【図３】本発明の実施の形態２であって、（イ）は建物の平面図、（ロ）はプリズムシートの横断面図である。
【図４】本発明の実施の形態３であって、（イ）は建物の平面図、（ロ）はプリズムシートの横断面図である。
【図５】本発明の実施の形態４であって、（イ）は建物の平面図、（ロ）はプリズムシートの横断面図である。
【図６】本発明の実施の形態５であって、（イ）は採光装置を分解して示す斜視図、（ロ）は図６（イ）のＡ−Ａ線におけるプリズムシートの断面図である。
【図７】（イ）は建物の斜視図、（ロ）は建物の平面図である。
【図８】本発明の実施の形態６であって、（イ）は建物の平面図であり、（ロ）はプリズムシートの横断面図である。
【符号の説明】
１，１Ａ  採光装置
２  プリズムシート
２１  凹凸面
２２  平坦な面
２３  山部
２４  谷部
１０  建物本体
１１  開口部
２０  塀
【図１】
0004339579.tif 000002
【図２】
0004339579.tif 000003
【図３】
0004339579.tif 000004
【図４】
0004339579.tif 000005
【図５】
0004339579.tif 000006
【図６】
0004339579.tif 000007
【図７】
0004339579.tif 000008
【図８】
0004339579.tif 000009